(57)【要約】      （修正有）【課題】よりシンプルな構造で、より作業負担の少ない法面勾配指示器を提供する。【解決手段】ショベルのバケットに取り付けられて法面に対するバケットの操作角度を指示する法面勾配指示器１は、支持部１０、基準部２０、回動部３０及び振止部４０等から構成される。基準部２０、回動部３０及び振止部４０は、同一軸１４上で支持される。回動部３０には、ストップピン３５が配置され、振止部４０には、ストッパー４４Ａが配置されている。ストッパー４４Ａによってストップピン３５の移動が規制されることで、回動部３０の回動が規制される。【選択図】図３
0003224829.tif 000002
【実用新案登録請求の範囲】
【請求項１】
ショベルのバケットに取り付けられ、法面に対するバケットの操作角度を指示する法面勾配指示器であって、
ショベル操作席に臨むように基準位置を表示可能とした基準部と、
内部に錘部を有し、ショベル操作席に臨むように回動位置を表示可能とした回動部と、
前記回動部の回動を回動範囲で規制する振止部と、
バケットに取り付けられ、前記回動部が前記基準部と前記振止部との間に位置して回動可能となるように該基準部、該回動部及び該振止部を同一軸上で支持する支持部と、
を備え、
前記回動部は、前記振止部に向かって突出して回動に伴って移動する突出部材を備え、
前記振止部は、前記回動部に向かって突出した２つの規制部材であって前記突出部材の移動経路上に位置して該突出部材の移動を規制することで該回動部の回動を規制する第一規制部材及び第二規制部材を備えたことを特徴とする法面勾配指示器。
【考案の詳細な説明】
【技術分野】
【０００１】
この考案は、ショベルのバケットに取り付けられ、法面に対するバケットの操作角度を指示する法面勾配指示器に関する。
【背景技術】
【０００２】
土木作業において、ショベルを用いて法面を所定の勾配に均す際、法面に対するバケットの操作角度を指示する法面勾配指示器が用いられる（例えば、特許文献１参照）。特許文献１に記載の法面勾配指示器は、ショベルのバケットに取り付けられ、回動部の回動位置と基準部の基準位置とがショベル操作者から目視できるようにされ、回動部の回動位置と基準部の基準位置とを一致させるようにショベル（バケット）を操作することで、法面が所定の勾配に均される。
【０００３】
また、特許文献１に記載の法面勾配指示器は、テープを用いて回動部の回動量（振れ量）を調整可能である。具体的には、回動部の回動量に応じた撓み量を考慮して、テープを回動部の周面位置に貼り直す等して調整する。
【先行技術文献】
【特許文献】
【０００４】
【特許文献１】特開２００３−２４７２４９号公報
【考案の概要】
【考案が解決しようとする課題】
【０００５】
上述した法面勾配指示器では、回動部の回動量を決定すべくテープを回動部の周面位置に貼り直す等の作業が負担となっていた。また、使用回数が増加するにつれてテープの粘着力も低下していくためにテープの交換等が必要であり、このような作業も負担となっていた。さらに、よりシンプルな構造の法面勾配指示器が求められいてた。
【０００６】
この考案は、よりシンプルな構造で、より作業負担の少ない法面勾配指示器を提供することを目的とする。
【課題を解決するための手段】
【０００７】
本考案によって提供されるショベルのバケットに取り付けられ、法面に対するバケットの操作角度を指示する法面勾配指示器は、基準部、回動部、振止部及び支持部を備える。基準部は、ショベル操作席に臨むように基準位置を表示可能とする。回動部は、内部に錘部を有し、ショベル操作席に臨むように回動位置を表示可能とする。振止部は、回動部の回動を回動範囲で規制する。支持部は、バケットに取り付けられ、回動部が基準部と振止部との間に位置して回動可能となるように基準部、回動部及び振止部を同一軸上で支持する。回動部は、振止部に向かって突出して回動に伴って移動する突出部材を備え、振止部は、回動部に向かって突出した２つの規制部材であって突出部材の移動経路上に位置して突出部材の移動を規制することで回動部の回動を規制する第一規制部材及び第二規制部材を備える。
【考案の効果】
【０００８】
この考案によれば、回動部が基準部と振止部との間に位置するように、基準部、回動部及び振止部が同一軸上で支持され、規制部材を用いて回動部の回動が規制されるので、よりシンプルな構造とすることができ、また作業負担を軽減できる。
【図面の簡単な説明】
【０００９】
【図１】この考案の実施形態に係る法面勾配指示器の正面図及び背面図である。
【図２】この考案の実施形態に係る法面勾配指示器の左側面図である。
【図３】この考案の実施形態に係る法面勾配指示器の分解図である。
【図４】この考案の実施形態に係る基準部の正面図及び背面図である。
【図５】この考案の実施形態に係る回動部の正面図及び背面図である。
【図６】この考案の実施形態に係る振止部の正面図及び背面図である。
【図７】この考案の実施形態に係る法面勾配指示器をショベルのバケットに取り付けた状態の一例を示す図及びストッパー及びストップピンの位置関係を示す説明図である。
【考案を実施するための形態】
【００１０】
図面を参照してこの考案の実施形態である法面勾配指示器について説明する。なお、この考案の構成は、実施形態に限定されるものではない。
【００１１】
図１、図２は、この考案の実施形態に係る法面勾配指示器１の正面図、背面図及び左側面図である。図３は、この考案の実施形態に係る法面勾配指示器１の分解図である。図４〜図６は、この考案の実施形態に係る基準部２０、回動部３０、振止部４０の正面図及び背面図である。なお、図３では、取付片１１Ａの図示を省略している。
【００１２】
法面勾配指示器１は、ショベルＰのバケットＢに取り付けられ（図７（Ａ）参照）、法面に対するバケットＢの操作角度を指示する。法面勾配指示器１は、例えば、土木作業において、ショベルを用いて法面を所定の勾配に均す際に用いられる。なお、ショベルは、ショベルローダーではなく、クレーンの荷役端部に掘削用バケットを取り付け、このバケットによって法面の仕上作業を行う油圧ショベル（工事現場等で使用される自走式の建設機械（重機））である。法面勾配指示器１は、支持部１０、基準部２０、回動部３０及び振止部４０等から構成される。
【００１３】
支持部１０は、バケットＢに着脱自在に取り付けられ、基準部２０、回動部３０及び振止部４０を支持する。支持部１０は、取付片（プレート）１１Ａ，１１Ｂ，１１Ｃ、取付金具１２Ａ，１２Ｂ、パイプ１３Ａ，１３Ｂ、軸（丸軸）１４等から構成される。
【００１４】
取付片１１Ａと取付片１１Ｂとは、長孔において、ボルト、ナット等で連結されている。なお、図１及び図２に示す状態では、取付片１１Ａと取付片１１Ｂとは、９０度の角度で連結されているが、バケットＢへの取り付け状態に応じて角度は調整すればよい。取付片１１Ａの一端部には、取付金具１２Ａ，１２Ｂがボルト等で取り付けられている。取付金具１２Ａ，１２Ｂは、断面がＵ字状であり、そのＵ字状の谷部にバケットＢの壁部端縁部が挿入される。バケットＢの壁部端縁部が挿入された状態で、取付片１１ＡのバケットＢの自由端部側のボルト孔にボルト１１１Ａ，１１１Ｂを挿入して締結することで、バケットＢの壁部端縁部がボルト１１１Ａ，１１１Ｂにより取付金具１２Ａ，１２Ｂの一方面に押さえつけられる。これにより、支持部１０（法面勾配指示器１全体）がバケットＢに取り付けられた状態となる（図７（Ａ）参照）。
【００１５】
取付片１１Ｂは、一端部において取付片１１Ｃとともに基準部２０、回動部３０及び振止部４０を支持する。取付片１１Ｂと取付片１１Ｃとは、パイプ１３Ａ，１３Ｂを挟んで、ボルト、ナット等で連結されている。軸１４は、取付片１１Ｂと取付片１１Ｃとの間に位置し、基準部２０、回動部３０及び振止部４０に挿通されている。軸１４は、軸受けであるボルト２２，４２等を介して取付片１１Ｂ及び取付片１１Ｃに支持されている。すなわち、取付片１１Ｂ，１１Ｃは、同一軸１４上で、基準部２０、回動部３０及び振止部４０を支持している。なお、基準部２０、回動部３０及び振止部４０の配置順は、少なくとも回動部３０が基準部２０と振止部４０との間であれば、図示した配置順に限定されない。
【００１６】
また、軸１４には、タップ１５が外嵌している。タップ１５は、ビスで軸１４に固定され、後述する基準環２１と動環３１との間隙を一定距離に保持する。
【００１７】
次に、基準部２０について説明する。基準部２０は、支持部１０（取付片１１Ｃ）に取り付けられ、ショベル操作席から見える位置に基準位置Ｓを表示する。例えば、図２に示すように、基準位置Ｓにテープ６０を貼付して表示する。基準位置Ｓは、法面に対するバケットの操作角度を所定の角度（目的の角度）に指示するための基準とする位置である。基準部２０は、基準環２１、ボルト２２及びプレート２３等から構成される。
【００１８】
基準環２１は、取付片１１Ｃ側に底面２１Ａを有する円筒であり、底面２１Ａの中心に形成された孔にボルト２２が挿通される。基準環２１の外周面には、基準位置Ｓを示すテープ６０が貼付されている。ボルト２２は、基準環２１に挿通された状態でプレート２３によって固定される。具体的には、ボルト２２の回動部３０側の一端がプレート２３の中心に形成された孔に挿入された状態で、溶接によってボルト２２とプレート２３とが固定される。プレート２３は、ボルト、ナット等で、基準環２１に固定される。
【００１９】
また、ボルト２２は、取付片１１Ｃ側の他端が取付片１１Ｃに形成された孔に挿通された状態で、ナット２６等によって取付片１１Ｃに固定される。ボルト２２は、中空の筒状体であって軸１４が挿入される軸受けであり、取付片１１Ｂに固定されるボルト４２とともに軸１４を支持する。
【００２０】
なお、基準部２０（基準環２１）は、ナット２６等によって回動しないように固定されているが、例えば、作業者等が回動方向に所定の力を加えることで回動する。したがって、作業者は、所定の力を加えて回動させることで基準位置Ｓを任意の位置に調整することが可能である。なお、テープ６０を剥がして再貼付することで基準位置Ｓを調整してもよい。
【００２１】
次に、回動部３０について説明する。回動部３０は、回動自在に軸１４に支持された状態で支持部１０に取り付けられ、ショベル操作席から見える位置に回動位置Ｒを表示する。例えば、図２に示すように回動位置Ｒにテープ６１を貼付して表示する。回動位置Ｒは、現在の法面に対するバケットの操作角度を示し、図２に示すように基準位置Ｓに一致させることで、バケットの操作角度を所定の角度（目的の角度）に合わせることができる。回動部３０は、動環３１、ボルト３２、プレート３３、錘部３４、ストップピン（突出部材）３５等から構成される。
【００２２】
動環３１は、取付片１１Ｂ側に底面３１Ａを有する円筒であり、底面３１Ａの中心に形成された孔にボルト３２が挿通される。動環３１の外周面には、回動位置Ｒを示すテープ６１が貼付されている。ボルト３２は、プレート３３及び動環３１に挿通された状態で、ナット等によって動環３１に固定される。ボルト３２は、中空の筒状体であって軸１４が挿通される。これにより、軸１４を中心として動環３１が回動する。例えば、ショベルＰのバケットＢの動作に伴って動環３１（回動部３０）が回動する（振れる）。プレート３３は、ボルト、ナット等で、動環３１に固定され、突出片３３Ａを有する。突出片３３Ａには、ボルト等によって錘部３４が固定されている。
【００２３】
錘部３４は、図５に示すように錘部３４が鉛直下方の最下位に位置するような状態となるように、自重によって動環３１を回動させる。したがって、ショベルＰのバケットＢの動作に伴って動環３１が回動した（振れた）場合であっても、自重によって錘部３４が鉛直下方の最下位に位置するような状態となるようにすぐに静止する。錘部３４は、例えば金属のプレートである。なお、錘部３４は、自重によって回動部３０（動環３１）を回動させることができる程度の重量であればよい。
【００２４】
ストップピン３５は、動環３１の底面３１Ａの外壁面から振止部４０に向かって、軸１４の軸方向と平行に突出している。ストップピン３５は、振止部４０とともに、回動部３０（動環３１）の回動を規制する。ストップピン３５は、ボルト３５１、緩衝用ゴム３５２、ナット３５３等から構成される。ボルト３５１は、プレート３３に形成された孔、動環３１の底面３１Ａに形成された孔、緩衝用ゴム３５２の孔に挿通された状態で、ナット３５３とネジ結合して動環３１に固定される。緩衝用ゴム３５２は、中空の筒状体のゴム（緩衝材）であり、振止部４０（ストッパー４４Ａ，４４Ｂ）との衝突時の衝撃を和らげる。
【００２５】
ストップピン３５は、動環３１の回動に伴って移動する。そして、動環３１の回動が回動範囲の上限及び下限に到達した際、振止部４０のストッパー４４Ａ，４４Ｂに衝突する。これにより、動環３１の回動が回動範囲で規制される。
【００２６】
次に、振止部４０について説明する。振止部４０は、支持部１０（取付片１１Ｂ）に取り付けられ、回動部３０（動環３１）の回動を規制する。振止部４０は、振止環４１、ボルト４２、プレート４３及びストッパー（第一規制部材、第二規制部材）４４Ａ，４４Ｂ等から構成される。
【００２７】
振止環４１は、取付片１１Ｂ側に底面４１Ａを有する円筒であり、底面４１Ａの中心に形成された孔にボルト４２が挿通される。ボルト４２は、振止環４１に挿通された状態でプレート４３に固定される。具体的には、ボルト４２の回動部３０側の一端がプレート４３の中心に形成された孔に挿入された状態で、溶接によってボルト４２とプレート４３とが固定される。プレート４３は、ボルト、ナット等で、振止環４１に固定される。
【００２８】
また、ボルト４２は、取付片１１Ｂ側の他端が取付片１１Ｂに形成された孔に挿通された状態で、ナット４６等によって取付片１１Ｂに固定される。ボルト４２は、中空の筒状体であって軸１４が挿入される軸受けであり、取付片１１Ｃに固定されるボルト２２とともに軸１４を支持する。
【００２９】
ストッパー４４Ａ，４４Ｂは、振止環４１の底面４１Ａの内壁面から回動部３０に向かって、軸１４の軸方向と平行に突出している。ストッパー４４Ａ，４４Ｂは、ストップピン３５の移動を規制することで、回動部３０（動環３１）の回動を回動範囲で規制する。ストッパー４４Ａ，４４Ｂは、ストップピン３５の移動経路上において、動環３１の回動が回動範囲の上限及び下限に到達した際、ストップピン３５と衝突する位置に配置されている。例えば、図７（Ｂ）に示すように、回動部３０の回動範囲が±６０°となる位置にストッパー４４Ａ，４４Ｂが配置される。
【００３０】
ストッパー４４Ａ，４４Ｂは、ボルト４４１Ａ，４４１Ｂ、緩衝用ゴム４４２Ａ，４４２Ｂ、ナット４４３Ａ，４４３Ｂ等から構成される。ボルト４４１Ａ（４４１Ｂ）は、振止環４１の底面４１Ａに形成された孔、プレート４３に形成された孔、緩衝用ゴム４４２Ａ（４４２Ｂ）の孔に挿通された状態で、ナット４４３Ａ，４４３Ｂとネジ結合して振止環４１に固定される。緩衝用ゴム４４２Ａ，４４２Ｂは、中空の筒状体のゴム（緩衝材）であり、回動部３０（ストップピン３５）との衝突時の衝撃を和らげる。
【００３１】
なお、振止部４０（振止環４１）は、ナット４６等によって回動しないように固定されているが、例えば、作業者等が回動方向に所定の力を加えることで回動する。したがって、作業者は、所定の力を加えて回動させることでストッパー４４Ａ，４４Ｂの位置を任意の位置に調整することが可能である。
【００３２】
次に、法面勾配指示器１の使用方法の一例を図７を参照しつつ説明する。図７（Ａ）は、法面勾配指示器をショベルＰのバケットＢに取り付けた状態の一例を示す図である。図７（Ｂ）は、ストップピン３５とストッパー４４Ａ，４４Ｂとの位置関係を示す説明図である。
【００３３】
最初に、図７（Ａ）に示すように、取付金具１２Ａ，１２ＢのＵ字状の谷部にバケットＢの壁部端縁部を挿入して、ショベルＰのバケットＢに法面勾配指示器１を取り付ける。このとき、ショベルＰの操作席から基準部２０の基準位置Ｓ（テープ６０）及び回動部３０の回動位置Ｒ（テープ６１）が目視できるように、取付片１１Ａに対する取付片１１Ｂの位置（角度）を調節しておく。
【００３４】
次に、作業する法面の所定の勾配（目的の角度）になるようにバケットＢを操作し、所定の勾配に操作した状態でバケットＢを保持しておく。次に、振止部４０の振止環４１を回動させ、錘部３４が鉛直方向における最下位に位置できるようにストッパー４４Ａ，４４Ｂの位置を調節する。例えば、図７（Ｂ）に示すように、錘部３４が鉛直方向における最下位に位置する状態で、ストップピン３５が中間に位置するようにストッパー４４Ａ，４４Ｂの位置を調節すればよい。
【００３５】
また、錘部３４が鉛直方向における最下位に位置している状態で基準部２０に対する回動部３０の位置が決定されるので、この状態のときに基準環２１を回動させて図２に示すような回動位置Ｒ（テープ６１）と一致する位置に基準位置Ｓ（テープ６０）を調節する。
【００３６】
以上の設定の後、法面を所定の勾配に均す作業を開始することができる。この作業中において、バケットＢを操作すると、法面勾配指示器１はバケットＢの動作に伴って全体が移動する。錘部３４は常に鉛直方向における最下位に位置しようとするので、バケットＢの操作に伴ってバケットＢが所定の勾配からズレてしまった場合、回動位置Ｒと基準位置Ｓもズレる。したがって、作業者は、回動位置Ｒ及び基準位置Ｓの目視によって、バケットＢの所定の勾配からのズレを容易に把握することができる。そして、基準位置Ｓと回動位置Ｒとを一致させるようにバケットＢを操作することで、所定の勾配を維持して法面を均すことができる。
【００３７】
また、バケットＢを操作すると、その移動に伴って回動部２０（動環２１）が回動するが、振止部４０によって回動が規制されているので、必要以上に大きく回動する（振れる）ことがなく、また、錘部３４によって即座に振れが停止するので、スムーズに法面を所定の勾配に均す作業が行える。しかも、ストップピン３５及びストッパー４４Ａ，４４Ｂに、緩衝用ゴム３５２，４４２Ａ，４４２Ｂも用いられているので、互いの衝突時の衝撃が和らげられ、大きく回動することが抑制される。
【００３８】
以上のように、回動部が基準部と振止部との間に位置するように、基準部、回動部及び振止部が同一軸上で支持され、規制部材（ストッパー）を用いて回動部が規制されるので、よりシンプルな構造とすることができる。また、法面勾配指示器の設定もより容易となるので、法面を均す際の作業負担を軽減できる。さらに、錘部を回動部の内部に配置しているので、法面勾配指示器自体を小型化することができる。
【００３９】
なお、上述の実施形態では、回動部の回動範囲が±６０°と例示されているが、特にこれに限定されるものではない。錘部の重量等を考慮して、任意の回動範囲を採用すればよい。
【産業上の利用可能性】
【００４０】
この考案は、ショベルのバケットに取り付けられ、法面に対するバケットの操作角度を指示する法面勾配指示器において、よりシンプルな構造とし、より作業負担を少なくするのに有用である。
【符号の説明】
【００４１】
１  法面勾配指示器
１０  支持部
２０  基準部
３０  回動部
３４  錘部
３５  ストップピン
４０  振止部
４４Ａ，４４Ｂ  ストッパー
Ｂ  バケット
Ｐ  ショベル
Ｒ  回動位置
Ｓ  基準位置
【図１】
0003224829.tif 000003
【図２】
0003224829.tif 000004
【図３】
0003224829.tif 000005
【図４】
0003224829.tif 000006
【図５】
0003224829.tif 000007
【図６】
0003224829.tif 000008
【図７】
0003224829.tif 000009